(57)【特許請求の範囲】
【請求項１】
かごの出入口幅よりも狭い幅で形成され、乗場の敷居と前記乗場の敷居に隣接した乗場ドア装置との間の空間に設けられ、昇降路中央側から前記空間を塞いだパネルと、
前記かごが対向した場合に互いの反対向縁部が前記かごの出入口の側縁部よりも戸当り側に位置するように乗場側の前記昇降路内壁面に設けられ、前記パネルの鉛直方向への移動を案内するとともに、前記パネルの水平方向の移動を規制したパネル用ガイドレールと、
前記パネル用ガイドレールの互いの反対向縁部側に配置され、互いの反対向縁部が前記かごの出入口の側縁部よりも戸袋側に位置する補助部材と、
前記パネルの下方への移動を規制したパネル用支持体と、
を備えたことを特徴とするエレベータのフェッシャープレート装置。
【請求項２】
前記パネル用ガイドレールは、互いに水平方向に離れて設けられ、互いの対向面に形成された案内溝で、前記パネルの両側部の鉛直方向への移動を案内するとともに、前記パネルの水平方向への移動を規制したことを特徴とする請求項１記載のエレベータのフェッシャープレート装置。
【請求項３】
前記パネル用ガイドレール上端の前記対向面側かつ前記昇降路中央側で、前記案内溝に連結して設けられ、互いの側面間の距離が、前記パネルの幅よりも長く形成された第１切り欠き部、
を備えたことを特徴とする請求項２記載のエレベータのフェッシャープレート装置。
【請求項４】
前記パネルは、鉛直方向の並んだ状態で、前記昇降路中央側から前記空間を塞ぐ複数枚からなり、
前記パネル用ガイドレールは、前記パネルの鉛直方向の並びを維持したことを特徴とする請求項３記載のエレベータのフェッシャープレート装置。
【請求項５】
前記パネル用ガイドレール中央の前記対向面側かつ前記昇降路中央側で、前記案内溝に連結して設けられ、互いの側面間の距離が、前記パネルの幅よりも長く形成されるとともに、前記パネルの高さよりも高く形成された第２切り欠き部、
を備えたことを特徴とする請求項４記載のエレベータのフェッシャープレート装置。
【請求項６】
前記パネルは、前記昇降路内壁面方向及び前記昇降路中央方向に可撓性を有する一枚からなり、
前記パネル用ガイドレールは、前記案内溝で、前記パネルの前記昇降路内壁面方向及び前記昇降路中央方向の変形を規制したことを特徴とする請求項３記載のエレベータのフェッシャープレート装置。
【発明の詳細な説明】
【技術分野】
【０００１】
この発明は、エレベータのフェッシャープレート装置に関するものである。
【背景技術】
【０００２】
建築基準法では、エレベータのフェッシャープレート装置の設置が義務付けられる。この基準法では、フェッシャープレート装置の幅は、かご出入口幅よりも広くすることが規定される。このフェッシャープレート装置により、何等かの事情で、かごが階間に停止したときに、人がかごの出入口を介して出ようとする場合でも、人がかごと昇降路内壁面との間から転落しないようになっている。
【０００３】
そして、かかるフェッシャープレート装置の一つとして、乗かご出入口の両側より内側に配設されて昇降路内壁面に固定した止め金具と、乗かご出入口の両側より内側で昇降方向に延びて配置されて止め金具に固定したフレームを設け、パネルをフレームに固定するものが提案されている。これにより、フェッシャープレート装置の据付性の向上が図られている（例えば、特許文献１参照）。
【０００４】
【特許文献１】特開平６−２５５９３６号公報
【発明の開示】
【発明が解決しようとする課題】
【０００５】
しかし、特許文献１記載のものは、パネルとフレームの固定穴を合わせ、工具を使用してリベットを打ち込んで固定するため、フェッシャープレート装置の据付性が格段に向上するとは言い難いものであった。
【０００６】
この発明は、上述のような課題を解決するためになされたもので、その目的は、据付性が格段に向上したエレベータのフェッシャープレート装置を提供することである。
【課題を解決するための手段】
【０００７】
この発明に係るエレベータのフェッシャープレート装置は、かごの出入口幅よりも狭い幅で形成され、乗場の敷居と前記乗場の敷居に隣接した乗場ドア装置との間の空間に設けられ、昇降路中央側から前記空間を塞いだパネルと、前記かごが対向した場合に互いの反対向縁部が前記かごの出入口の側縁部よりも戸当り側に位置するように乗場側の前記昇降路内壁面に設けられ、前記パネルの鉛直方向への移動を案内するとともに、前記パネルの水平方向の移動を規制したパネル用ガイドレールと、前記パネル用ガイドレールの互いの反対向縁部側に配置され、互いの反対向縁部が前記かごの出入口の側縁部よりも戸袋側に位置する補助部材と、前記パネルの下方への移動を規制したパネル用支持体とを備えたものである。
【発明の効果】
【０００８】
この発明によれば、フェッシャープレート装置の据付性が格段に向上する。
【発明を実施するための最良の形態】
【０００９】
この発明を実施するための最良の形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるエレベータのフェッシャープレート装置の正面図である。図２はこの発明の実施の形態１におけるエレベータのフェッシャープレート装置の平面図である。図３はこの発明の実施の形態１におけるエレベータのフェッシャープレート装置の側面図である。図４はこの発明の実施の形態１におけるエレベータのフェッシャープレート装置に利用されるパネル用ガイドレール上端の拡大図である。図５は図１のＡ−Ａ線における断面図である。
【００１１】
図において、１は乗場の敷居である。２は乗場の敷居１に隣接した乗場ドア装置である。そして、乗場の敷居１と乗場ドア装置２との間には、フェッシャープレート装置４が設けられる。このフェッシャープレート装置４により、何等かの事情で、かご（図示せず）が階間に停止したときに、人がかごの出入口を介して出ようとする場合でも、人がかごと昇降路内壁面３との間から転落しないようになっている。以下、本実施の形態におけるフェッシャープレート装置４の詳細を説明する。
【００１２】
５は複数枚のパネルである。これらのパネル５は、かごの出入口幅よりも広い幅で形成される。そして、これらのパネル５は、鉛直方向に並んだ状態で、乗場の敷居１と乗場ドア装置２との間の空間の略全高を塞ぐように配置される。６は一対のパネル用ガイドレールである。これらのパネル用ガイドレール６は、互いに水平方向に離れて、乗場の敷居１と乗場ドア装置２との間の空間の略全高に渡って鉛直方向に延びて配置される。そして、これらのパネル用ガイドレール６は、取付部材７を介して止め金具８により、乗場側の昇降路内壁面３に固定される。
【００１３】
かかるパネル用ガイドレール６の互いの対向面には、案内溝９が形成される。そして、パネル用ガイドレール６上端の対向面側かつ昇降路中央側には、第１切り欠き部１０が設けられる。この第１切り欠き部は、互いの側面間の距離が、パネルの幅よりも長く形成される。そして、パネル用ガイドレールの第１切り欠き部１０よりも昇降路内壁面３側には、取付ねじ穴１１が設けられる。さらに、案内溝９下端には、ガイド板からなるパネル用支持体１２が設けられる。
【００１４】
かかる構成のフェッシャープレート装置４においては、案内溝９により、パネル５の両側部が鉛直方向に案内され、パネル５の水平方向の移動が規制される。また、パネル用支持体１２により、パネル５の下方への移動が規制される。なお、最上位のパネル５は、取付ねじ１３により、パネル用ガイドレール６に締結される。この取付ねじ１３は、取付ねじ穴１１にねじ込まれるものである。
【００１５】
次に、フェッシャープレート装置４の据付手順を説明する。
まず、止め金具８が、昇降路内壁面３に固定される。そして、パネル用ガイドレール６が、取付部材７を介して止め金具８に固定される。かかる作業は、従来と同様に、行われる。そして、かごの出入口が、乗場の敷居１と乗場ドア装置２との間と同等高さになるように、かごが移動される。
【００１６】
かかる位置で、かごの戸（図示せず）が戸開される。そして、一枚目のパネル５が、かごの出入口を介して、パネル用ガイドレール６の第１切り欠き部１０に挿入される。一枚目のパネル５は、自重により、下方へ移動し、パネル用支持体１２に当接する。かかる位置で、一枚目のパネル５が保持される。その後、二枚目のパネル５が、パネル用ガイドレール６の第１切り欠き部１０に挿入される。そして、二枚目のパネル５は、自重により、下方へ移動する。そして、二枚目のパネル５の下縁部が、一枚目のパネル５の上縁部に当接する。かかる位置で、二枚目のパネル５が保持される。
【００１７】
そして、順次、複数のパネル５がパネル用ガイドレール６の第１切り欠き部１０に挿入される。そして、最上位のパネル５が取付ねじ１３により、パネル用ガイドレール６に締結される。かかる手順で据え付けられたフェッシャープレート装置４において、パネル５の両側部は、パネル用ガイドレール６に鉛直方向の移動を案内されるとともに、水平方向の移動を規制される。また、これと同時に、パネル５は、パネル用支持体１２に、下方から支持される。これにより、パネル５は、乗場と敷居と乗場ドア装置２のとの間に形成された空間を、昇降路中央側から塞ぐ位置に保持される。
【００１８】
以上で説明した実施の形態１によれば、最上位のパネル５以外、ねじ止め作業が不要となる。このため、フェッシャープレート装置４の据付性が格段に向上する。なお、パネル５は、パネル用ガイドレール６に挿入可能な構造であれば、特に限定されるものではない。
【００１９】
また、長いパネル用ガイドレール６の場合は、パネル用ガイドレール６中央の対向面側かつ昇降路中央側で、案内溝９に連結して設けられ、互いの側面間の距離が、パネル５の幅よりも長く形成されるとともに、パネル５の高さよりも高く形成された第２切り欠き部を備えてもよい。この場合、パネル用ガイドレール６下方側に配置されるパネル５を、第２切り欠き部から挿入することにより、より据付時間の短縮が図られる。
【００２０】
なお、本実施の形態のフェッシャープレート装置４においては、当然に、分解時の作業性も向上する。即ち、エレベータのフェッシャープレート装置４の設置から撤去までの工程全体において、歩留りが向上する。
【００２１】
実施の形態２．
図６はこの発明の実施の形態２におけるエレベータのフェッシャープレート装置に利用されるパネルの正面図である。図７はこの発明の実施の形態２におけるエレベータのフェッシャープレート装置に利用されるパネルの側面図である。なお、実施の形態１と同一又は相当部分には同一符号を付して説明を省略する。
【００２２】
実施の形態１におけるパネル５は、複数枚で構成されていた。一方、実施の形態２におけるパネル１４は、一枚で構成されている。このパネル１４は、昇降路内壁面３方向及び昇降路中央方向に可撓性を有する。より具体的には、パネル１４は、薄い板厚からなる。そして、パネル１４は、適所を昇降路内壁面３方向又は昇降路中央方向に折り曲げられて波状に形成される。
【００２３】
かかる構成のパネル１４は、パネル用ガイドレール６に、昇降路内壁面３方向及び昇降路中央方向の変形を規制される。かかる状態のパネル１４は、かごの出入口から人の転落を防止する程度の剛性を有する。そして、パネル１４上端には、取付穴１４ａが設けられる。パネル１４は、取付穴１４ａを貫通する取付ねじ１３により、パネル用ガイドレール６に締結される。
【００２４】
以上で説明した実施の形態２によれば、パネル５を複数枚用意する必要がない。このため、よりフェッシャープレート装置４の据付性が向上する。
【００２５】
実施の形態３．
図８はこの発明の実施の形態３におけるエレベータのフェッシャープレート装置の正面図である。図９はこの発明の実施の形態３におけるエレベータのフェッシャープレート装置の平面図である。図１０はこの発明の実施の形態３におけるエレベータのフェッシャープレート装置の側面図である。図１１はこの発明の実施の形態３におけるエレベータのフェッシャープレート装置に利用されるパネル用ガイドレール上端の拡大図である。なお、実施の形態１と同一又は相当部分には同一符号を付して説明を省略する。
【００２６】
実施の形態１においては、パネル用ガイドレール６は、かごが対向した場合に、かごの出入口の側縁部よりも戸袋側に位置するように設けられていた。そして、パネル５は、かごの出入口幅よりも広い幅で形成されていた。
【００２７】
一方、実施の形態３においては、パネル用ガイドレール１５は、かごの出入口の側縁部よりも戸当り側に位置するように設けられている。そして、パネル１６は、かごの出入口幅よりも狭い幅で形成されている。
【００２８】
さらに、実施の形態３においては、取付部材１７の他片が、パネル１６と略同一平面上に配置される。即ち、取付部材１７の他片は、パネル１６とともに、乗場の敷居１と乗場ドア装置２との間の空間を、昇降路中央側から塞ぐ補助部材として機能する。
【００２９】
以上で説明した実施の形態３によれば、かご内から容易にパネル１６をパネル用ガイドレール６に挿入することができる。このため、よりフェッシャープレート装置４の据付性が向上する。なお、本実施の形態では、パネル１６及び取付部材１７の他片が協働して、かごの出入口幅よりも広い範囲で、乗場の敷居１と乗場ドア装置２との間に形成された空間を、昇降路中央側から塞いでいる。このため、フェッシャープレート装置４の幅はかごの出入口幅よりも広くするという建築基準法の規定は、遵守される。
【図面の簡単な説明】
【００３０】
【図１】この発明の実施の形態１におけるエレベータのフェッシャープレート装置の正面図である。
【図２】この発明の実施の形態１におけるエレベータのフェッシャープレート装置の平面図である。
【図３】この発明の実施の形態１におけるエレベータのフェッシャープレート装置の側面図である。
【図４】この発明の実施の形態１におけるエレベータのフェッシャープレート装置に利用されるパネル用ガイドレール上端の拡大図である。
【図５】図１のＡ−Ａ線における断面図である。
【図６】この発明の実施の形態２におけるエレベータのフェッシャープレート装置に利用されるパネルの正面図である。
【図７】この発明の実施の形態２におけるエレベータのフェッシャープレート装置に利用されるパネルの側面図である。
【図８】この発明の実施の形態３におけるエレベータのフェッシャープレート装置の正面図である。
【図９】この発明の実施の形態３におけるエレベータのフェッシャープレート装置の平面図である。
【図１０】この発明の実施の形態３におけるエレベータのフェッシャープレート装置の側面図である。
【図１１】この発明の実施の形態３におけるエレベータのフェッシャープレート装置に利用されるパネル用ガイドレール上端の拡大図である。
【符号の説明】
【００３１】
１  乗場の敷居、  ２  乗場ドア装置、  ３  昇降路内壁面、  
４  フェッシャープレート装置、  ５  パネル、  ６  パネル用ガイドレール、
７  取付部材、  ８  止め金具、  ９  案内溝、  １０  第１切り欠き部、
１１  取付ねじ穴、  １２  パネル用支持体、  １３  取付ねじ、  １４  パネル、
１４ａ  取付穴、  １５  パネル用ガイドレール、  １６  パネル、１７  取付部材
【図１】
0005151639.tif 000002
【図２】
0005151639.tif 000003
【図３】
0005151639.tif 000004
【図４】
0005151639.tif 000005
【図５】
0005151639.tif 000006
【図６】
0005151639.tif 000007
【図７】
0005151639.tif 000008
【図８】
0005151639.tif 000009
【図９】
0005151639.tif 000010
【図１０】
0005151639.tif 000011
【図１１】
0005151639.tif 000012